(57)【要約】【課題】ＣＤ−ＤＡ１１の楽曲のリッピングにおいて、ＣＤＤＢを参照できない場合、ユーザによる煩雑な手入力を回避して、有用な処理を実行できるようにする。【解決手段】ＣＤ−ＤＡ１１ごとにフォルダを作成し、フォルダ名は他のフォルダに対して識別できる名称として"ＡＬＢＵＭ００１"を付ける。ＣＤ−ＤＡ１１の各楽曲のオーディオファイルは、該ＣＤ−ＤＡ１１に対応する"ＡＬＢＵＭ００１"のフォルダ内に格納するとともに、タグ情報におけるアルバム名を該フォルダの名称と同一の"ＡＬＢＵＭ００１"とする。後の楽曲検索時にアルバム名の分類を選択すると、ＩＤ３タグのアルバム名が"ＡＬＢＵＭ００１"である楽曲のみをリスト表示することができる。【選択図】図２
2009087426.tif 000002
【特許請求の範囲】
【請求項１】
記録対象の各コンテンツに対してコンテンツデータとコンテンツ関連データとを含むコンテンツファイルを作成するコンテンツ処理装置であって、
記録対象の各コンテンツについてグループ分けするグループ分け手段、及び
該グループ分け手段によりグループ分けされたコンテンツから作成されるコンテンツファイルにおけるコンテンツ関連データの所定の項目が、前記グループに対応する内容となるように、該コンテンツファイルを作成するコンテンツファイル作成手段、
を備えることを特徴とする、コンテンツ処理装置。
【請求項２】
前記コンテンツファイル作成手段により作成されたコンテンツファイルを記録する記録手段、及び
前記グループ分け手段によるグループ分けに対応し、前記グループ分けされたコンテンツから作成されるコンテンツファイルを格納するフォルダを前記記録手段内に作成するとともに、各フォルダに対してフォルダ同士を識別できるフォルダ名称を付与するフォルダ作成手段、
をさらに備え、
前記コンテンツファイル作成手段は、前記フォルダ作成手段により作成されたフォルダの名称を、前記フォルダに格納されているコンテンツファイルのコンテンツ関連データの前記所定の項目に付与することを特徴とする、請求項１記載のコンテンツ処理装置。
【請求項３】
前記コンテンツ関連データは、前記コンテンツファイルが有するタグ情報であることを特徴とする、請求項１又は２記載のコンテンツ処理装置。
【請求項４】
前記コンテンツ関連データの所定の項目は、前記コンテンツファイルが有するタグ情報におけるアルバム又はアーティスト名に対応する項目データであることを特徴とする、請求項３記載のコンテンツ処理装置。
【請求項５】
前記コンテンツ関連データはジャンルの項目データを含むものであり、
前記フォルダ作成手段は、各グループが属するジャンルをユーザ指示に基づき判別するとともに、ジャンルに対応するフォルダを前記記録手段内に作成し、該フォルダの下位のフォルダとして、前記グループ分け手段によるグループ分けのグループに対応するフォルダを作成し、
前記コンテンツファイル作成手段は、各コンテンツファイルにおけるコンテンツ関連データのジャンルの項目データを、前記フォルダ作成手段が作成したジャンルに対応するフォルダの名称に係るデータにして、各コンテンツファイルを作成することを特徴とする、請求項１〜４のいずれかに記載のコンテンツ処理装置。
【請求項６】
コンテンツ関連データはトラック番号の項目データを含み、
前記コンテンツファイル作成手段は、各コンテンツファイルにおけるコンテンツ関連データのトラック番号の項目データを、記録順を番号順とする番号に係るデータにして、各コンテンツファイルを作成することを特徴とする、請求項１〜５のいずれかに記載のコンテンツ処理装置。
【請求項７】
前記グループ分け手段によるグループ分けは、記録対象のコンテンツについてのソース媒体ごとに及び／又はソース媒体の種類ごとに１つのグループを割り当てるものであることを特徴とする、請求項１〜６のいずれかに記載のコンテンツ処理装置。
【請求項８】
前記コンテンツファイル作成手段は、コンテンツ関連データの項目データとして所定分野の各用語の名前データを採用することを特徴とする、請求項１〜７いずれかに記載のコンテンツ処理装置。
【請求項９】
記録対象の各コンテンツに対してコンテンツデータとコンテンツ関連データとを含むコンテンツファイルを作成するコンテンツ処理方法であって、
記録対象の各コンテンツについてグループ分けするグループ分けステップ、及び
該グループ分けステップにおいてグループ分けされたコンテンツから作成されるコンテンツファイルにおけるコンテンツ関連データの所定の項目が、前記グループに対応する内容となるように、該コンテンツファイルを作成するコンテンツファイル作成ステップ、
を備えることを特徴とする、コンテンツ処理方法。
【請求項１０】
請求項１〜８のいずれかに記載のコンテンツ処理装置の各手段としてコンピュータを機能させるプログラム。
【発明の詳細な説明】
【技術分野】
【０００１】
本発明は、ＩＤ３タグのようなコンテンツ関連データ付きコンテンツファイルを作成するコンテンツ処理装置、方法及びプログラムに関するものである。
【背景技術】
【０００２】
特許文献１は、ＣＤ−ＤＡの楽曲をハードディスク装置にリッピングする時に、ＣＤＤＢ（CD DataBase）へアクセスして、リッピング対象に係る楽曲の関連情報をＣＤＤＢから入手して、それをＭＰ３（MPEG Audio Layer-3）のオーディオファイルのタグ情報にすることを開示する（特許文献１の図２及び図３）。特許文献１は、また、ＣＤ−ＤＡの楽曲をハードディスク装置にリッピングする時に、ＣＤＤＢへアクセスできない場合、又はアクセスできても、リッピング対象の楽曲に係るデータが存在しない場合には、ユーザに関連情報を手入力させて、それをオーディオファイルのタグ情報にすることを開示する（特許文献１の図４のステップ４３０，４３２，４３４）。
【０００３】
図７は従来のオーディオ装置においてリッピング処理に伴う記憶装置内のフォルダ生成状態の変化を示した図である。図７（ａ）はリッピング前のフォルダ生成状態、図７（ｂ）は１枚目のＣＤ−ＤＡに対してリッピングを行った後のフォルダ生成状態、図７（ｃ）は２枚目のＣＤ−ＤＡに対してリッピングを行った後のフォルダ生成状態である。説明の便宜上、１枚目のＣＤ−ＤＡには楽曲が５個、２枚目のＣＤ−ＤＡには楽曲が３個、存在すると仮定する。
【０００４】
リッピング対象のＣＤ−ＤＡが変わるごとに、ルートの１つ下にフォルダが新たに１つ作られる。説明の便宜上、１枚目及び２枚目のＣＤ−ＤＡのリッピングに対して作成されるフォルダの名前をそれぞれ"ＡＬＢＵＭ００１"、"ＡＬＢＵＭ００２"としている。
【０００５】
また、各ＣＤ−ＤＡに含まれている楽曲に対応するオーディオファイルは、該ＣＤ−ＤＡに対応するフォルダ内に格納され、そのファイル名は相互に識別可能なもの、例えば追い番（００１，００２，・・・）付きのファイル名（ＴＲ００１，ＴＲ００２，・・・）が自動付与されるようになっている。したがって、フォルダ"ＡＬＢＵＭ００１"のオーディオファイル"ＴＲ００１"とフォルダ"ＡＬＢＵＭ００２"のオーディオファイル"ＴＲ００１"とのように、フォルダが異なれば、ファイル名が同一のオーディオファイルが存在する。
【０００６】
"ＴＲ００１"，"ＴＲ００２"，・・・のオーディオファイルは、例えばＭＰ３規格のものであり、オーディオデータと共にアルバム名やアーティスト名等のタグ情報に係るデータを含むものとなっている。ＤＡＰ１００では、システムコンポ（図示せず）やＰＣ（パーソナルコンピュータ）等よりＵＳＢケーブルにより接続され、システムコンポ等からオーディオファイルを自機のフラッシュメモリ等の記憶装置内に記録するようになっている。
【０００７】
従来のシステムコンポ等のオーディオ装置では、ＣＤＤＢを参照できない場合、及びＣＤＤＢへアクセスできても、新譜等のために該当するタグ情報を入手できない場合では、いずれの場合も、オーディオファイルはそのＩＤ３タグをブランクにされたまま作成されることになる。
【０００８】
図８はＩＤ３タグがブランクとなっているオーディオファイルに対して検索を実施した場合のＤＡＰ（Digital Audio Player：デジタルオーディオ再生装置）１００における楽曲検索画面例を示している。ユーザは、ＤＡＰ１００の記憶装置内の楽曲から再生希望のものを探す場合等には、操作キー部１０２におけるキーを操作して。検索画面を表示部１０１に呼び出す。
【０００９】
図８（ａ）はユーザが検索分類を選択する検索画面である。該検索画面では、アーティスト、アルバム、及びトラック等の検索分類が表示される。ユーザは、例えばアルバムを選択する場合、操作キー部１０２における上又は下のキーを操作して、該検索画面から項目"アルバム"を選択し、操作キー部１０２における右のキー（破線円で囲われているキー）を押下する。
【００１０】
図８（ｂ）は図８（ａ）の検索画面で"アルバム"を選択した場合に次に表示される検索画面である。図７で説明したように、各オーディオファイルは、アルバム名の項目を含めてタグ情報が登録されていないので、ＤＡＰ１００は、アルバム名の分類で検索しようとしても、オーディオファイルを検索することができず、結局、図８（ｂ）では、オーディオファイルはタグ情報以外のファイル名でリスト表示されることになる。ファイル名は、フォルダが相違すれば、同一ファイル名のファイルが作られるので、図８（ｃ）の検索画面では、同一ファイル名の楽曲が複数連続して表示されることになる（例：第１行のＴＲ００１と第２行のＴＲ００１）。
【特許文献１】特開２００４−２４６９３７号公報
【発明の開示】
【発明が解決しようとする課題】
【００１１】
図８（ｂ）の検索画面では、同一ファイル名の楽曲が表示リスト内に複数存在するので、ユーザには、所望の楽曲が同一ファイル名の複数の楽曲のいずれであるかを判別することができない。これを回避するために、特許文献１のように、ユーザがアルバム名等のタグ情報を手入力することは、ユーザにとって大きな手間となってしまう。
【００１２】
本発明の目的は、リッピング等による新規コンテンツファイルの記録に際し、該コンテンツ関連データに係る文字入力をユーザが手作業で行う煩雑さを排除しつつ、コンテンツ検索時等では、ユーザに適度の便宜を供することができるコンテンツ処理装置、方法及びプログラムを提供することである。
【課題を解決するための手段】
【００１３】
本発明によれば、記録対象のコンテンツについて所定のグループ分けを行い、該コンテンツのコンテンツファイルのコンテンツ関連データには、グループに対応するテータを書き込む。グループ分けでは、例えば、１つのグループを１つのソース媒体や同一種のソース媒体に割り当てる。一例として、各ＣＤ−ＤＡごとに１つのグループを割り当てたり、チューナやＡＵＸ（Auxiliary）端子からの入力コンテンツについては、それぞれソース媒体が異なる種類に属するものとして、チューナごとに及びＡＵＸ端子ごとに１つのグループに割り当てたりする。
【００１４】
本発明のコンテンツ処理装置は、記録対象の各コンテンツに対してコンテンツデータとコンテンツ関連データとを含むコンテンツファイルを作成する。本発明のコンテンツ処理装置は次のものを備えている。
記録対象の各コンテンツについてグループ分けするグループ分け手段、及び
該グループ分け手段によりグループ分けされたコンテンツから作成されるコンテンツファイルにおけるコンテンツ関連データの所定の項目が、前記グループに対応する内容となるように、該コンテンツファイルを作成するコンテンツファイル作成手段。
【００１５】
本発明のコンテンツ処理方法は、記録対象の各コンテンツに対してコンテンツデータとコンテンツ関連データとを含むコンテンツファイルを作成する。本発明のコンテンツ処理方法は次のステップを備えている。
記録対象の各コンテンツについてグループ分けするグループ分けステップ、及び
該グループ分けステップにおいてグループ分けされたコンテンツから作成されるコンテンツファイルにおけるコンテンツ関連データの所定の項目が、前記グループに対応する内容となるように、該コンテンツファイルを作成するコンテンツファイル作成ステップ。
【００１６】
本発明のプログラムは、本発明のコンテンツ処理装置の各手段としてコンピュータを機能させる。
【発明の効果】
【００１７】
本発明によれば、所定のコンテンツ関連データに当該コンテンツが対応するグループの情報が対応付けられるため、ユーザは、コンテンツ関連データに係る情報を一々手入力しなくても、後のコンテンツ検索等において所定の便宜を受けることができる。
【発明を実施するための最良の形態】
【００１８】
図１はＣＤ−ＤＡ１１の楽曲をＤＡＰ２０の記憶装置へリッピングする時の状況図である。システムコンポ１０はＣＤ−ＤＡ１１を挿入するスロット１２を前面に備える。ＤＡＰ２０はＵＳＢケーブル１３を介してシステムコンポ１０へ接続される。リッピング時では、システムコンポ１０からＤＡＰ２０へＵＳＢケーブル１３を介して必要データが送られて、ＤＡＰ２０の記憶装置内にＭＰ３等の圧縮ファイル形式のオーディオファイルが作成される。なお、ＤＡＰ２０の記憶装置は、フラッシュメモリ又はハードディスク装置から成る。
【００１９】
図２はＤＡＰ（Digital Audio Player：デジタルオーディオ再生装置）２０においてリッピング処理に伴う記憶装置内のフォルダ生成状態の変化を示した図である。図２（ａ）はリッピング前のフォルダ生成状態、図２（ｂ）は１枚目のＣＤ−ＤＡ１１に対してリッピングを行った後のフォルダ生成状態、図２（ｃ）は２枚目のＣＤ−ＤＡ１１に対してリッピングを行った後のフォルダ生成状態である。説明の便宜上、１枚目のＣＤ−ＤＡ１１には楽曲が５個、２枚目のＣＤ−ＤＡ１１には楽曲が３個、存在すると、仮定する。
【００２０】
ＣＤ−ＤＡ１１のリッピングでは、ＣＤ−ＤＡ１１ごとに、ルートの１つ下にフォルダが１つ作られる。システムコンポ１０は、同一にならないようなフォルダ名を各フォルダに付与する。例えば、フォルダ名は、フォルダの作成順の追い番（例："００１"，"００２"，・・・）を含むものにされる。図２では、フォルダ名は、説明の便宜上、所定語句（例："ＡＬＢＵＭ"）＋追い番にして、"ＡＬＢＵＭ００１"，"ＡＬＢＵＭ００２"，・・・になっている。
【００２１】
同一のＣＤ−ＤＡ１１からのリッピングにより作成されたオーディオファイルは、すべて、該ＣＤ−ＤＡ１１に対応付けられて作成されたフォルダ内に格納される。同一のフォルダ内でのオーディオファイルの名前は、相互に識別可能なもの、例えば追い番付きのファイル名（"ＴＲ００１"，"ＴＲ００２"，・・・）になっている。"ＴＲ００１"，"ＴＲ００２"，・・・のオーディオファイルは、例えばＭＰ３規格のものであり、オーディオデータと共にアルバム名やアーティスト名等のタグ情報に係るデータを含むものとなっている。
【００２２】
システムコンポ１０は、内蔵のハードディスクにＣＤＤＢ（CD DataBase）を保有している場合には、該ＣＤＤＢに、また、インターネット接続環境にある場合には、インターネットを介して所定のサーバのＣＤＤＢへアクセスし、該ＣＤＤＢから今回のリッピング対象のＣＤ−ＤＡ１１に含まれる各楽曲の各種タグ情報を入手する。そして、入手した各種タグ情報を、今回作成中の該当のオーディオファイルの対応項目データ領域に記録する。
【００２３】
ＭＰ３のＩＤ３タグには、項目として、楽曲名（Title）、アーティスト名（Artist）、アルバム名（Album）、リリース年（Year）、ジャンル（Genre）、注釈（Comment）、及びトラック番号（Track）が用意されている。
【００２４】
システムコンポ１０がＣＤＤＢへアクセスできない場合や、ＣＤＤＢへアクセスできても、今回のリッピング対象が新譜等のために、ＣＤＤＢにタグ情報が存在しないことがある。従来のオーディオ装置では、このような場合、タグ情報をブランクのままにしてオーディオファイルを作成したり、ユーザに手入力させたりしていたが、システムコンポ１０は、このような場合、タグ情報の各項目に所定のデータを自動書き込みするようにしている。図２では、図示の簡略上、アルバム名とトラック番号のみ記載しているが、タグ情報のその他の全部又は所定の項目にも対応のデータを書き込むようにしている。
【００２５】
システムコンポ１０は、各オーディオファイルを格納するフォルダの名前を各オーディオファイルのＩＤ３タグ項目のアルバム名として記録する。図２では、フォルダ名"ＡＬＢＵＭ００１"のフォルダ内の各オーディオファイルのタグ情報におけるアルバム名は"ＡＬＢＵＭ００１"になっており、また、フォルダ名"ＡＬＢＵＭ００２"のフォルダ内の各オーディオファイルのタグ情報におけるアルバム名は"ＡＬＢＵＭ００２"になっている。
【００２６】
システムコンポ１０は、また、各フォルダ内の各オーディオファイルのタグ情報におけるトラック番号について、その番号順＝リッピング順の番号を付与する。リッピング順はＣＤ−ＤＡ１１におけるトラック番号順であるので、各オーディオファイルのタグ情報におけるトラック番号はＣＤ−ＤＡ１１におけるトラック番号に一致することになる。図２では、各フォルダ内のオーディオファイルのタグ情報におけるトラック番号は、そのソース媒体のＣＤ−ＤＡ１１におけるトラック番号と一致する番号"０１"，"０２"，"０３"，・・・となっている。
【００２７】
図３は図２のオーディオファイルのＩＤ３タグ作成状態でＤＡＰ２０において楽曲の検索を実行した場合のＤＡＰ２０における楽曲検索画面を例示している。ＤＡＰ２０は、その前面の上半部及び下半部にそれぞれ表示部２１及び操作キー部２２を配備している。ユーザは、ＤＡＰ２０内の楽曲から再生希望のものを探す場合等には、検索画面をＤＡＰ２０の表示部２１に呼び出す。
【００２８】
図３（ａ）はユーザが検索分類を選択する検索画面である。該検索画面では、アーティスト、アルバム、及びトラック等の検索分類を表示する。ユーザは例えばアルバムを選択する場合、操作キー部２２における上又は下のキーを操作して、該検索画面から項目"アルバム"を選択し、操作キー部２２における右のキー（破線円で囲われているキー）を押下する。
【００２９】
図３（ｂ）は図３（ａ）の検索画面で"アルバム"を選択した場合に次に表示される検索画面である。ＤＡＰ２０の記憶装置内では、フォルダは"ＡＬＢＵＭ００１"と"ＡＬＢＵＭ００２"との２個であるので、図３（ｂ）の検索画面では、それらが例えば昇順で表示されることになる。ユーザは、例えば"ＡＬＢＵＭ００１"を選択する場合、操作キー部２２における上又は下のキーを操作して、該検索画面から"ＡＬＢＵＭ００１"を選択し、操作キー部２２における右のキー（破線円で囲われているキー）を押下する。
【００３０】
図３（ｃ）は図３（ｂ）の検索画面でアルバム名"ＡＬＢＵＭ００１"のアルバムを選択した場合に次に表示される検索画面である。図２に示すように、タグ情報のアルバム名が"ＡＬＢＵＭ００１"となっているオーディオファイルは、ファイル名が"ＴＲ００１"，"ＴＲ００２"，・・・，"ＴＲ００５"となっているので、図３（ｃ）の検索画面では、ファイル名としての"ＴＲ００１"，"ＴＲ００２"，・・・，"ＴＲ００５"が昇順にリスト表示される。
【００３１】
図３（ｃ）の検索画面では、ファイル名としての"ＴＲ００１"，"ＴＲ００２"，・・・，"ＴＲ００５"を昇順にリスト表示する。なお、ＤＡＰ２０のオーディオファイルでは、オーディオファイルのタグ情報におけるトラック番号＝該オーディオファイルのリッピング元のＣＤ−ＤＡ１１における楽曲のトラック番号となっているので、また、タグ情報における楽曲名＝"ＴＲ"＋追い番となっているので、オーディオファイルをタグ情報のトラック番号の昇順にリスト表示しても、図３（ｃ）と同じく"ＴＲ００１"，"ＴＲ００２"，・・・，"ＴＲ００５"の順番になる。
【００３２】
なお、ユーザは、システムコンポ１０のスクロールキーを操作して、画面を上下にスクロールすることができ、これにより、１つの検索画面に入り切れなかったオーディオファイルの楽曲名も、画面をスクロールして、見ることができる。図３（ｃ）では、"ＴＲ００２"が選択されている状態になっている、この選択状態でユーザがスロット１２の右キーを押下すると、アルバム名"ＡＬＢＵＭ００１"でかつ楽曲名"ＴＲ００２"の楽曲がＤＡＰ２０において再生される。
【００３３】
ユーザは、再生される楽曲が、その選択に当たり、アルバム名"ＡＬＢＵＭ００１"のものであることを認識できるので、"ＡＬＢＵＭ００１"は実際のアルバム名とは異なっているものの、選択しようとする楽曲についておおよその見当をつけることができる。
【００３４】
図３の例では、オーディオファイルのタグ情報におけるアルバム名に整理番号のような無機質的なテキスト"ＡＬＢＵＭ００１"，"ＡＬＢＵＭ００２"，・・・を付与している。これに代えて、ユーザに馴染み易い語句や勉強や知識習得に役立つ語句を採用することができる。例として、"山の名前"、"魚の名前"、"川の名前"、"国の名前"、"歴史上の人物（日本史、世界史、戦国時代、近代ヨーロッパ、物理学者、哲学者）"、"数学の公式"、"日本国憲法条文見出し"等を挙げることができる。
【００３５】
このような語句の具体的使用方法の第１例として、フォルダに対応するアルバム名として、"ＡＬＢＵＭ００１"，"ＡＬＢＵＭ００２"，"ＡＬＢＵＭ００３"，・・・に代えて、日本の山の高さ順に"富士山"，"北岳"，"間ノ岳"，・・・にする。あるいは、第２例として、フォルダに対応するアルバム名として、"ＡＬＢＵＭ００１"，"ＡＬＢＵＭ００２"，・・・に代えて、"魚の名前"，"川の名前"，・・・とし、さらに、アルバム名が"魚の名前"になっている各オーディオファイルのタグ情報における楽曲名（＝トラック番号）は、それぞれ"まぐろ"，"さんま"，・・・とし、アルバム名が"川の名前"になっている各オーディオファイルのタグ情報における楽曲名は"信濃川"，"利根川"，・・・とする。
【００３６】
図４はコンテンツ処理装置４０のブロック図である。コンテンツ処理装置４０の一例は図１のシステムコンポ１０である。システムコンポ１０は、ＤＡＰ２０に対して、オーディオファイルやその格納場所のフォルダの作成を決めるためにデータや指示を送って、ＤＡＰ２０は、システムコンポ１０からのデータ及び指示を受けて、自機の記憶装置内にオーディオファイルを格納している。システムコンポ１０とＤＡＰ２０とが、コンテンツ処理装置４０の機能を分担するようになっていてもよい。この場合には、システムコンポ１０及びＤＡＰ２０を組合せたものがコンテンツ処理装置４０の具体例となる。また、コンテンツ処理装置はシステムコンポ１０のみで構成され、システムコンポ１０に内蔵されたＨＤＤやフラッシュメモリにオーディオファイルを格納しても良い。
【００３７】
コンテンツ処理装置４０は、記録対象の各コンテンツに対してコンテンツデータとコンテンツ関連データとを含むコンテンツファイル５３を作成する。コンテンツ処理装置４０が記録対象とするコンテンツは、オーディオに限定されず、ビデオも含む。コンテンツ処理装置４０は、グループ分け手段４１及びコンテンツファイル作成手段４２を備える。コンテンツ処理装置４０は、さらに、記録手段４６及びフォルダ作成手段４７を備えることができる。
【００３８】
コンテンツファイル５３は、例えばＭＰ３やＷＭＡ等の圧縮形式のオーディオファイルである。コンテンツファイル５３の作成はリッピングによる作成に限定されない。アナログ又はデジタル放送やＡＵＸ端子からのオーディオやビデオについての録音や録画による作成も含まれる。
【００３９】
グループ分け手段４１は、記録対象のコンテンツをグループ分けする。コンテンツファイル作成手段４２は、該コンテンツに係るコンテンツファイル５３におけるコンテンツ関連データの所定の項目が該コンテンツについてのグループ分け手段４１のグループ分けによるグループに対応付けた内容となるように、該コンテンツファイル５３を作成する。
【００４０】
コンテンツ関連データは、例えば、ＭＰ３やＷＭＡのオーディオファイルにおけるタグ情報である。好ましくは、コンテンツ関連データの所定の項目は、タグ情報におけるアルバム名又はアーティスト名である。前述の図１及び図２では、各ＣＤ−ＤＡ１１に対して１個のグループを割り当て、各グループに対応するフォルダ"ＡＬＢＵＭ００１"や"ＡＬＢＵＭ００２"を作成し、同一グループのオーディオファイルのタグ情報におけるアルバム名は、各オーディオファイルが格納されているフォルダの名前"ＡＬＢＵＭ００１"や"ＡＬＢＵＭ００２"となっている。
【００４１】
こうして、コンテンツ処理装置４０では、ユーザが一々タグ情報を入力しなくても、コンテンツファイル５３のコンテンツ関連データの所定項目には、コンテンツのグループに係る情報が記録され、ユーザが後にコンテンツ検索等を行った場合には、該所定項目の情報に基づき有用な検索処理等を実施することができる（例：図２（ｂ）→図２（ｃ））。
【００４２】
好ましくは、記録手段４６は、コンテンツファイル作成手段４２により作成されたコンテンツファイル５３を記録する。フォルダ作成手段４７は、グループ分け手段４１によるグループ分けに対応してグループ分けされたコンテンツから作成されるコンテンツファイル５３を格納するフォルダ５５を記録手段４６内に作成する。フォルダ作成手段４７は、また、各フォルダ５５に対してフォルダ同士を識別できるフォルダ名を付与する。これに対して、コンテンツファイル作成手段４２は、フォルダ作成手段４７により作成されたフォルダ５５の名前を、フォルダ５５に格納されているコンテンツファイル５３のコンテンツ関連データの所定の項目の内容にする。
【００４３】
記録手段４６の具体例としては、ＤＡＰ２０内のフラッシュメモリ等の記録媒体の他に、システムコンポ１０に着脱自在に装着されるＵＳＢメモリやＳＤカード等の記録媒体を挙げることができる。前述の図１及び図２では、同一のＣＤ−ＤＡ１１内の楽曲に係るオーディオファイルについては、同一のフォルダに格納され、かつそれらオーディオファイルのタグ情報におけるアルバム名は、それらオーディオファイルの格納フォルダの名称と同一の"ＡＬＢＵＭ００１"や"ＡＬＢＵＭ００２"とされている。
【００４４】
典型的には、コンテンツ関連データがジャンルの項目を含む場合には、フォルダ作成手段４７は、各グループが属するジャンルをユーザ指示に基づき判別するとともに、ジャンルに対応するフォルダ５５を記録手段４６内に作成する。また、この作成において、グループ対応のフォルダ５５はジャンル対応のフォルダ５５の下位になるようにする。これに対し、コンテンツファイル作成手段４２は、各コンテンツファイル５３のコンテンツ関連データにおけるジャンルを、ジャンル対応のフォルダ５５の名前にして、各コンテンツファイル５３を作成する。
【００４５】
図５はコンテンツ処理装置４０がジャンル対応フォルダを作成する場合のフォルダ階層状態及び各コンテンツファイル５３におけるタグ情報を例示している。ユーザは、リッピング等の記録開始に先立ち、今回のコンテンツのジャンルをリスト等から選択する。ユーザは、ジャンルを各コンテンツごと選択してもよいし、ＣＤ−ＤＡ等のソース媒体ごとに選択することもできる。この選択は、例えば、ユーザがジャンルリスト表示から所定のジャンルを選択することにより行う。
【００４６】
これにより、記録手段４６において、各グループ対応フォルダはジャンル対応フォルダの下の階層に作成され、今回の記録対象のコンテンツに係るコンテンツファイル５３は、ユーザ指示のジャンルに対応するフォルダ内で、かつ該コンテンツに係るグループに対応するフォルダ内に格納される。これに対し、コンテンツファイル５３のタグ情報におけるジャンルはジャンル対応フォルダの名前とされるとともに、タグ情報におけるアルバム名はグループ対応フォルダの名前とされる。
【００４７】
こうして、コンテンツファイル５３には、ジャンルのタグ情報が含まれることになるので、後に、ユーザがジャンルでコンテンツ検索等を行った場合にも、適切なジャンル別コンテンツ検索等をユーザに提供することができる。
【００４８】
図４のコンテンツ処理装置４０に戻って、好ましくは、コンテンツ関連データがトラック番号の項目を含む場合には、コンテンツファイル作成手段４２は、各コンテンツファイル５３のコンテンツ関連データにおけるトラック番号を、記録順を番号順とする番号にして、各コンテンツファイル５３を作成する。この具体例は、前述の図２におけるフォルダ"ＡＬＢＵＭ００１"，"ＡＬＢＵＭ００２"内の各オーディオファイルのＩＤ３タグにおけるトラック番号"０１"，"０２"，・・・である。
【００４９】
好ましくは、グループ分け手段４１によるグループ分けは、記録対象のコンテンツについてのソース媒体ごとに及び／又はソース媒体の種類ごとに１つのグループを割り当てるものである。
【００５０】
ソース媒体とは例えばＣＤ−ＤＡである。前述のシステムコンポ１０では、ＣＤ−ＤＡ１１ごとに、すなわちソース媒体ごとに１つのグループを割り当てていた。グループ分け手段４１は、グループをソース媒体ごとかソース媒体の種類ごとかのどちらの基準で割り当てるかを、ソース媒体の種類に応じて決めるようにしてもよい。
【００５１】
ソース媒体の種類がラジオ放送やＡＵＸ端子へ接続される外部機器である場合には、ソース媒体の種類ごとに、グループを割り当てるのが有利である。その場合、ソース媒体は、１つのラジオ番組、１つの楽曲、及びＡＵＸ端子からの１区切りの入力信号等、１つの録音単位や録画単位に対応させることが好ましい。録音単位や録画単位は、ユーザがマニュアルで録音開始及び録音終了を指示したり、放送開始に先立ち、録音開始時刻及び録音終了時刻を設定することにより、決まる。
【００５２】
コンテンツファイル作成手段４２は、コンテンツ関連データの項目データとして所定分野の各用語の名前データを採用する。所定分野とは、社会、経済、人文、自然科学、生活のあらゆる分野を含むものとする。コンテンツ処理装置４０の具体例としてのシステムコンポ１０では、所定分野として"山の名前"、"魚の名前"、"川の名前"、"国の名前"等を挙げている。
【００５３】
図６はコンテンツ処理方法８０のフローチャートである。コンテンツ処理方法８０はコンテンツ処理装置４０に適用される。コンテンツ処理方法８０は、記録対象の各コンテンツに対してコンテンツデータとコンテンツ関連データとを含むコンテンツファイル５３を作成するものである。
【００５４】
Ｓ８１では、記録対象の各コンテンツについてグループ分けする。Ｓ８２では、該Ｓ８１においてグループ分けされたコンテンツから作成されるコンテンツファイル５３におけるコンテンツ関連データの所定の項目が、グループに対応する内容となるように、該コンテンツファイル５３を作成する。
【００５５】
Ｓ８１，Ｓ８２の処理は、コンテンツ処理装置４０（図４）のグループ分け手段４１及びコンテンツファイル作成手段４２の機能にそれぞれ対応している。したがって、グループ分け手段４１及びコンテンツファイル作成手段４２の機能について述べた具体的態様はＳ８１，Ｓ８２の処理についての具体的態様としても適用可能である。コンテンツ処理方法８０では、また、コンテンツ処理装置４０の記録手段４６及びフォルダ作成手段４７の機能に対応する処理を実行するステップを適宜、追加可能である。記録手段４６に対応するステップは、コンテンツ処理方法８０において、Ｓ８２の後に追加する。フォルダ作成手段４７に対応するステップは、記録手段４６に対応するステップより前に追加する。記録手段４６及びフォルダ作成手段４７の機能について前述した具体的態様は、それら追加ステップの処理についての具体的態様としても適用可能である。
【００５６】
本発明を適用したプログラムは、コンピュータをコンテンツ処理装置４０の各手段として機能させる。本発明を適用した別のプログラムは、コンテンツ処理方法８０の各ステップをコンピュータに実行させる。 
【００５７】
本明細書は様々な発明を開示している。それら発明には、発明の最良の形態の項で説明した各装置及び各方法だけでなく、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００５８】
【図１】ＣＤ−ＤＡの楽曲をＤＡＰの記憶装置へリッピングする時の状況図である。
【図２】ＤＡＰにおいてリッピング処理に伴う記憶装置内のフォルダ生成状態の変化を示した図である。
【図３】図２のオーディオファイルのタグ作成状態でＤＡＰにおいて楽曲の検索を実行した場合のＤＡＰにおける楽曲検索画面の一例を示す図である。
【図４】コンテンツ処理装置のブロック図である。
【図５】コンテンツ処理装置がジャンル対応フォルダを作成する場合のフォルダ階層状態及び各コンテンツファイルにおけるタグ情報の一例を示す図である。
【図６】コンテンツ処理方法のフローチャートである。
【図７】従来のコンテンツ処理装置においてリッピング処理に伴う記憶装置内のフォルダ生成状態の変化を示した図である。
【図８】タグがブランクとなっているオーディオファイルに対して検索を実施した場合のＤＡＰにおける楽曲検索画面例を示す図である。
【符号の説明】
【００５９】
４０：コンテンツ処理装置、４１：グループ分け手段、４２：コンテンツファイル作成手段、４６：記録手段、４７：フォルダ作成手段、５３：コンテンツファイル、５５：フォルダ、８０：コンテンツ処理方法。
【図１】
2009087426.tif 000003
【図２】
2009087426.tif 000004
【図３】
2009087426.tif 000005
【図４】
2009087426.tif 000006
【図５】
2009087426.tif 000007
【図６】
2009087426.tif 000008
【図７】
2009087426.tif 000009
【図８】
2009087426.tif 000010